(57)【要約】      （修正有）【課題】雨水の逆流を遮断し、漏水現象を防止することができ、瓦の裏面に発生する霜を排水溝から下方に排出できる瓦を提供する。【解決手段】瓦１００の本体１１０の表面に排水溝を有する上部フランジと、雨水が排水される排水路とが形成され、前記本体の裏面には、霜を排出するための案内突起１３３と、雨粒の逆流を防ぐ裏面１１７と、補助突起部１３７とを有する下部フランジ１１５が形成され、前記案内突起は密着溝１２４との間に配置され、前記密着溝に連結され、裏面に排水面１３５が形成され、前記排水面と下部フランジとの間に配置された帯状の補助突起１３７が形成されるとともに、下部フランジは斜め上昇して形成され、前記排水面に流入する霜は、突出した補助突起により、下方に位置した本体に落ちるように誘導され、排水路は、上広下狭に構成され、雨水の逆流を遮断するので、漏水現象を防止することができ、骨組みの腐食を防止する。【選択図】図５
2016075140.tif 000002
【特許請求の範囲】
【請求項１】
本体１１０の表面１１１には、排水溝１２１を有する上部フランジ１１９と、雨水が排水される排水路１２５とが形成され、
前記本体１１０の裏面１１３には、霜を排出するための案内突起１３３と、雨粒Ｓが逆流しないようにするための裏面１１７と、補助突起部１３７とを有する下部フランジ１１５が形成される瓦１００を構成するが、
前記本体１１０の表面１１１の上部フランジ１１９には、上下方に貫通して形成された排水溝１２１が形成されるとともに、前記上部フランジ１１９の下部に配置され、雨水が排水されるように、下方に開放した形状の排水路１２５が形成され、
前記本体１１０の裏面１１３にできた霜を排出するために、付着面１３１の下部に配置され、左右側に対向して裏面１１３に突出した帯状のものとして、左右側のものがＶ字状となるように傾いた案内突起１３３が形成され、
前記案内突起１３３と密着溝１２４との間に配置され、前記密着溝１２４に連結され、裏面１１３に平らに形成された排水面１３５が形成された後、
霜は、前記案内突起１３３に沿って、裏面１１３の中央と排水面１３５に流入するとともに、釘孔１２７を経て下方に位置した本体１１０に落ちるように構成され、
前記下部フランジ１１５の裏面１１７が、上方に向かって上向き傾斜した状態で形成され、風が吹き付ける場合も、雨水Ｓが逆流しないようにし、
前記下部フランジ１１５を超えて逆流する雨粒Ｓは、補助突起部１３７により、再度遮断されることを特徴とする逆流防止可能な瓦。
【請求項２】
前記案内突起１３３と密着溝１２４との間に配置され、前記密着溝１２４に連結され、裏面１１３に平らに形成された排水面１３５が形成されることで、霜が案内突起１３３に沿って裏面１１７の中央に流れるように形成され、
前記排水面１３５と下部フランジ１１５との間には、帯状の補助突起１３７が配置されるとともに、下部フランジ１１５は、裏面１１７が上方に行くほど斜め上昇して形成され、
前記排水面１３５に流入する霜は、突出した補助突起１３７により、側面に流れ、下方に位置した本体１１０に落ちるように誘導されることを特徴とする請求項１に記載の逆流防止可能な瓦。
【請求項３】
前記排水路１２５は、上広下狭に形成され、本体１１０の上部フランジ１１９から下部フランジ１１５に至るまでの最大限の排水距離を持たせるとともに、両側への表面積を最大限広く構成してなることを特徴とする請求項１に記載の逆流防止可能な瓦。
【発明の詳細な説明】
【技術分野】
【０００１】
本発明は、逆流防止可能な瓦に関し、より詳しくは、瓦の本体の表面に排水溝を有する上部フランジと、雨水が排水される排水路とが形成され、前記本体の裏面には、霜を排出するための案内突起と、雨粒（Ｓ）が逆流しないようにするための裏面と、補助突起部とを有する下部フランジが形成されるが、前記本体の表面の上部フランジには、上下方に貫通して形成された排水溝が形成されるとともに、前記上部フランジの下部に配置され、雨水が排水されるように、下方に開放した形状の排水路が形成され、前記本体の裏面には、霜を排出するために、付着面の下部に配置され、左右側に対向して裏面に突出した帯状のものとして、左右側のものがＶ字状となるように傾いた案内突起と、前記案内突起と密着溝との間に配置され、前記密着溝に連結され、裏面に平らに形成された排水面が形成され、霜は、案内突起に沿って裏面の中央に流れるように構成され、前記排水面と下部フランジとの間に配置された帯状の補助突起が形成されるとともに、下部フランジは、裏面が上方に行くほど斜め上昇して形成され、前記排水面に流入する霜は、突出した補助突起により、側面に流れながら、下方に位置した本体に落ちるように誘導され、排水路は、上広下狭に構成され、本体の上部フランジから下部フランジに至るまで、最大限の排水距離を持たせるとともに、表面積を最大限広く構成し、雨水の逆流を遮断するので、漏水現象を防止することができ、骨組みの腐食を防止するように構成したことを特徴とする逆流防止可能な瓦に関する。
【背景技術】
【０００２】
一般に、瓦は、粘土をこね、これを型で成形し乾燥させ、塑性炉で焼いて製造され、建築物の屋根材として用いられており、その種類は、形態と使用位置により、軒瓦、平瓦、瓦灯、床板、鬼瓦、唐草瓦、軒丸瓦等、種々の形態と模様を有している。
【０００３】
また、このように作られた瓦は、建物の上部に横木と縦木が格子状に施工された木材の骨組みに、上下方に重ねて施工している。
【０００４】
次に、側方に隣接した瓦間を丸瓦で覆って仕上げる。
【０００５】
一方、図１に示した従来の瓦１は、四角板状のものであり、左右側方が上がったラウンド状の本体１０が形成されるが、断面をみると、下方に窪んだ弧状となる。
【０００６】
また、前記本体１０の下部終端の裏面には、下部フランジ２０が突出し、排出される雨水が本体１０の裏面を伝って逆流する現象を防止するように構成される。
【０００７】
また、前記本体１０の表面１５の上部には、上部フランジ３０が突出し、雨水が逆流して骨組みに漏れる現象を防止している。
【０００８】
ここで、前記本体１０の左右側方には、雨水が側方に漏れないように、側方フランジ４０が突設されている。
【０００９】
また、瓦１を骨組みに施工するためには、図２に示すように、骨組みＦにおいて、最下方の横木Ｔに最初の瓦１を載せ、その上に２番目の瓦１を載せ、このとき、下部フランジ２０を最初の瓦１の上部フランジ３０の下方に位置させる。
【００１０】
このような方式で、下方から上方へ瓦１を載せながら重畳して施工するようになる。
【００１１】
一方、このように形成される従来の瓦１の問題点について説明する。
【００１２】
第一に、図２に示すように、降雨時、前記本体１０に沿って下方に流れた雨水は、下部終端に沿って下部フランジ２０の下端に溜まるようになる。
【００１３】
このとき、風が逆方向に吹くと、雨粒は下方に配置された瓦１の上部フランジ３０を超え、骨組みＦの上に落ちるので、漏水が発生し、骨組みＦが腐食するという問題点があった。
【００１４】
ここで、このような現象は、逆方向に風が吹きつけるときに発生し、上下部に瓦１が重畳された状態でも、上部に配置された瓦１の下部フランジ２０と下部に配置された瓦１の表面１５との間には、隙間が発生するので、十分に風が通過し、雨粒も逆流され得る。
【００１５】
第二に、図２と図３に示すように、単に瓦１が骨組みＦに載せられる施工構造により、前記瓦１が重力により、下方に滑り落ちるという問題点があった。
【００１６】
第三に、図３に示すように、瓦１が骨組みＦの横木Ｔに支持された状態で、前記本体１０の裏面１３がラウンド面であるので、横木Ｔに密着した状態で、矢印方向に回動する現象が発生するようになる。
【００１７】
したがって、作業者が瓦１を踏んで作業するとき、瓦１が動き、地上に落ちて怪我してしまうという問題点があった。
【００１８】
第四に、冬季、瓦１の裏面１３に発生した霜が、前記裏面１３を伝って降りるうち、骨組みＦの上に落ち、骨組みＦを腐食させるという問題点があった。
【先行技術文献】
【特許文献】
【００１９】
【特許文献１】大韓民国意匠登録第３０‐０５６４１６５号公報
【特許文献２】日本国特許出願公開２００４‐３００７６７５号公報
【特許文献３】日本国実用新案登録第３１００４２３号公報
【特許文献４】日本国実開昭５３‐０９５５１６号公報
【発明の概要】
【発明が解決しようとする課題】
【００２０】
本発明は、上記問題点に鑑みなされたものであり、その目的は、雨水の逆流を遮断するとともに、漏水現象を防止することができ、冬季、瓦の裏面に発生する霜が、瓦の裏面を伝って降りるうち、骨組みの上に落ち、骨組みの腐食を防止するように構成される逆流防止可能な瓦を提供することにある。
【課題を解決するための手段】
【００２１】
上述した目的を達成するために、本発明は、瓦は、本体の表面に、排水溝を有する上部フランジと、雨水が排水される排水路とが形成され、
前記本体の裏面には、霜を排出するための案内突起と、雨粒Ｓが逆流しないようにするための裏面と、補助突起部とを有する下部フランジが形成されるが、
前記本体の表面の上部フランジには、上下方に貫通して形成された排水溝が形成されるとともに、前記上部フランジの下部に配置され、雨水が排水されるように、下方に開放した形状の排水路が形成され、
前記本体の裏面には、霜を排出するために、付着面の下部に配置され、左右側に対向して裏面に突出した帯状のものとして、左右側のものがＶ字状となるように傾いた案内突起と、前記案内突起と密着溝との間に配置され、前記密着溝に連結され、裏面に平らに形成された排水面が形成され、霜は、案内突起に沿って裏面の中央に流れるように構成され、前記排水面と下部フランジとの間に配置された帯状の補助突起が形成されるとともに、下部フランジは、裏面が上方に行くほど斜め上昇して形成され、前記排水面に流入する霜は、突出した補助突起により、側面に流れながら、下方に位置した本体に落ちるように誘導され、排水路は、上広下狭に構成され、本体の上部フランジから下部フランジに至るまで、最大限の排水距離を持たせるとともに、両側への表面積を最大限広く構成し、雨水の逆流を遮断するので、漏水現象を防止することができ、骨組みの腐食を防止するように構成したことを特徴とする逆流防止可能な瓦に関する。
【発明の効果】
【００２２】
本発明によれば、以下のような効果がある。
【００２３】
第一に、本発明の排水路は、上部の幅が広く、下部の幅が狭いので、幅の狭い出口部分において排水速度が速くなり、出口から排水される雨水の排水距離が長くなり、下部に位置した本体の排水路まで雨水を充分に送り出す構造であるので、雨水が下部フランジに溜まっており、逆方向に本体の裏面を伝って逆流する現象を、背景技術に比べて減少させるという効果がある。
【００２４】
第二に、本発明では、下部フランジの裏面が上方に向かって上向きに傾斜した状態であるので、逆流し難く、このような下部フランジを越えて逆流する雨粒があれば、前記補助突起により、再度遮断することができる。
【００２５】
第三に、本発明では、横木に係止突起が係止され、釘により横木に固定されるので、重力により下方に滑り落ちる現象を防止することができる。
【００２６】
第四に、本発明では、付着面により横木に接触する面が、背景技術に比べて大きいので、作業時、作業者が踏んだとき、本体が回動し、地上に落ちて怪我する現象を、背景技術に比べて減らすことができ、横木に堅固に支持することができる。
【００２７】
第五に、本発明では、案内突起と排水面により、霜が下部に位置した本体を貫通する釘と釘孔に落ち、釘を腐食させ、横木を腐食させる現象を防止することができる。
【００２８】
第六に、本発明では、上部フランジの上部に霜や雨水が流入した場合、排水溝から下方に容易に排出させることができる。
【図面の簡単な説明】
【００２９】
【図１】従来技術による瓦が骨組みの横木に支持された状態を示す斜視図である。
【図２】従来技術による瓦を骨組みに施工した状態を示した断面図である。
【図３】図１をＫ方向からみたものを示した側面図である。
【図４】本発明による逆流防止可能な瓦を示した斜視図である。
【図５】本発明による逆流防止可能な瓦の下部を示した斜視図である。
【図６】図４のＣ‐Ｃ’線による断面図である。
【図７】本発明による逆流防止可能な瓦が骨組みに支持された状態を示した斜視図である。
【図８】図７のＦ‐Ｆ’線による断面図である。
【図９】本発明の要部が組み立てられた状態を示す斜視図である。
【発明を実施するための形態】
【００３０】
以下、添付した図面に基づき、本発明の属する技術の分野における通常の知識を有する者が、容易に実施可能に、本発明の実施例について詳述する。しかし、本発明は、種々の相違した形態で具現されてもよく、ここで説明する実施例に限定されない。
【００３１】
また、図面において、本発明を明確に説明するために、説明と無関係な部分を省略し、明細書の全体において類似した部分については、類似した図面符号をつけている。
【００３２】
明細書の全体において、ある部分がある構成要素を含むとするとき、これは、特に拘りがない限り、他の構成要素を制御するものではなく、他の構成要素をさらに含んでもよいことを意味する。
【００３３】
本発明は、図４は、本発明による逆流防止可能な瓦を示した斜視図、図５は、本発明による逆流防止可能な瓦の下部を示した斜視図、図６は、図４のＣ‐Ｃ’線による断面図、図７は、本発明による逆流防止可能な瓦が骨組みに支持された状態を示した斜視図、図８は、図７のＦ‐Ｆ’線による断面図、図９は、本発明の要部が組み立てられた状態を示す斜視図をもって一緒に説明する。
【００３４】
先ず、図９に示すように、本発明の瓦１は、建物の上部に横木Ｔと縦木Ｖが格子状に施工された木材の骨組みＦに、上下方に重ねて載せた後、側方に隣接した瓦１０間を丸瓦２を覆って仕上げるようになる。
【００３５】
骨組みＦに重ねて載せる前記瓦１は、四角板状のものであって、左右側方が上がったラウンド状の本体１１０が構成されるが、断面をみたとき、弧状となる。
【００３６】
また、前記本体１１０の表面１１１の上部に形成され、雨水の逆流を防止するように突出した上部フランジ１１９が形成される。
【００３７】
また、前記本体１１０の上側及び左右側の端部において、上方にそれぞれ突出した上端フランジ１２２及び側端フランジ１２３が構成される。
【００３８】
ここで、本体１１０の裏面１１３において下部に配置され、左右側方と下方に開放され、他の瓦１の上部フランジ１１９に載せられる密着溝１２４が形成される。
【００３９】
また、前記密着溝１２４の下部終端に突出した帯状の下部フランジ１１５が形成される。
【００４０】
一方、本体１１０の裏面には、霜を排出するために、付着面１３１の下部に配置され、左右側に対向して裏面に突出した帯状のものであって、左右側のものがＶ字状となるように傾いた案内突起１３３が形成される。
【００４１】
また、前記案内突起１３３と密着溝１２４との間に配置され、前記密着溝１２４に連結され、裏面１１３に平らに形成された排水面１３５が形成されることで、霜が案内突起１３３に沿って裏面１１７の中央に流れるように構成される。
【００４２】
ここで、前記排水面１３５と下部フランジ１１５との間に配置された帯状の補助突起１３７が形成されるとともに、下部フランジ１１５は、裏面１１７が上方に行くほど斜め上昇して形成される。
【００４３】
また、前記排水面１３５に流入する霜は、突出した補助突起１３７により、側面に流れ、下方に位置した本体１１０に落ちるように誘導される。
【００４４】
一方、排水路１２５は、上広下狭に形成され、本体１１０の上部フランジ１１０から下部フランジ１１５に至るまでの最大限の排水距離を有する構造であるとともに、両側への表面積を最大限広く構成し、雨水の逆流を遮断するので、漏水現象を防止することができる。
【００４５】
以下、このような構成からなる本発明の構成について詳述する。
【００４６】
先ず、図４に示すように、本体１１０の表面１１１において、上部フランジ１１９の下部に配置され、雨水が排水されるように下方に開放した形状であり、下方に行くほど幅が狭くなる溝状の排水路１２５が構成され、雨水の排水速度が向上する。
【００４７】
また、図４に示すように、上部フランジ１１９と上端フランジ１２２との間に配置され、本体１１０を貫通する釘孔１２７が構成される。
【００４８】
また、図５に示すように、本体１１０の裏面１１３に、釘孔１２７が形成され、図５に示すように、本体１１０の裏面１１３に、釘孔１２７の上部に配置され、骨組みＦの横木Ｔに係止するように突出した係止突起１２９が形成される。
【００４９】
ここで、裏面１１３に形成された釘孔１２７は、平らに形成され、横木Ｔに密着する付着面１３１を含んで構成される。
【００５０】
すなわち、係止突起１２９により、本体１１０が重力により下方に滑り落ちる現象が一時的に防止され、前記釘孔１２７に釘１２８を入れて横木Ｔに打ち込むので、二次的に下降する現象を防ぐことができる構成である。
【００５１】
また、本体１１０の裏面１１３に形成される霜を効率よく排水させるために、図５に示すように、付着面１３１の下部に配置され、左右側に対向して前記裏面１１３に突出した帯状のものであり、左右側のものがＶ字状となるように傾いた案内突起１３３が形成される。
【００５２】
ここで、それぞれの案内突起１３３は、下方に向かって、下向き傾斜して形成されるので、両側の対応する案内突起１３３は、相互Ｖ字状をなすようになる。
【００５３】
また、図５に示すように、案内突起１３３と前記密着溝１２４との間に配置され、密着溝１２４に連結され、前記裏面１１３に平らに形成された形状の排水面１３５が形成される。
【００５４】
ここで、排水面１３５と下部フランジ１１５との間に配置された帯状の補助突起１３７が形成され、前記補助突起１３７と下部フランジ１１５との長さは、相対側の本体１１０の側端フランジ１２３間に挿入されるようになる。
【００５５】
一方、雨粒Ｓの逆流が防止されるように、図６に示すように、下部フランジ１１５は、裏面１１７が上方に行くほど、斜め上昇して形成される。
【００５６】
また、上部フランジ１１９の上部に雨水が流入したとき、迅速に排水されるように、上部フランジに、上下方に貫通して形成された排水溝１２１が構成される。
【００５７】
ここで、排水溝１２１は、本体１１０の窪んだ部分に形成されるので、容易に排水機能を行うことができる。
【００５８】
また、図７に示すように、本体１１０の下端幅Ｖ２が上端幅Ｖ１よりも小さく形成されるので、下端に排水される水が、下方に配置された瓦１００の中央部に容易に落下可能に形成されるので、瓦１００の間に排水され、漏水現象が発生しないようになる。
【００５９】
以下、このような構成による本発明の施工例及び排水過程について説明する。
【００６０】
図７及び図８、図９に示すように、縦木Ｖが施工され、前記縦木Ｖの表面に横木Ｔが固定された状態で、下方に位置する横木Ｔに、本発明による逆流防止可能な瓦１００の係止突起１２９を係止させる。
【００６１】
このとき、本体１１０が下降しないので、釘孔１２７に釘１２８を入れ、容易に横木Ｔに打ち込むことができる。
【００６２】
ここで、本発明の下部にも、横木Ｔが支持されることは勿論である。
【００６３】
また、付着面１３１により横木Ｔに接触する面が、背景技術に比べて大きいので、作業時、作業者が踏んでいるとき、本体１１０が回動し、地上に落ちて怪我する現象を減らすことができ、横木Ｔに堅固に支持され得るという利点がある。
【００６４】
このような状態で、横木Ｔに固定された本体１１０に他の本体１１０を重ねるが、前記他の本体１１０の下部フランジ１１５と補助突起１３７が、下方に位置する本体１１０の上部フランジ１１９と排水路１２５との間に配置されるようにする。
【００６５】
ここで、下部フランジ１１５は、補助突起１３７よりも厚く形成し、下方に位置する他の本体１１０の表面１１１で支持されるようにした。
【００６６】
また、密着溝１２４に、他の本体１１０の上端フランジ１２２と側端フランジ１２３が収容されるので、上部に位置する本体１１０の下部が持ち上げられ、雨水が逆流する現象が防止される構成である。
【００６７】
このとき、上部において重畳する本体１１０の係止突起１２９は、横木Ｔに係止するとともに、上方に位置する本体１１０の釘孔１２７を通じて釘１２８を打ち込むことにより、上部に位置する本体１１０を横木Ｔに固定するようにした。
【００６８】
このような方式で、上方へ本発明を重畳させて行く。
【００６９】
このような施工を側方に並べ、左右側方に本体１１０は、並んで配置される構成である。
【００７０】
ここで、側方に対応する本体１１０の上部に、丸瓦２を、図９の示すように覆って仕上げる構成である。
【００７１】
したがって、本発明によると、本体１１０が、係止突起１２９により横木Ｔに支持され、釘１２８により横木Ｔに固定されるので、本発明が重力により下方へ滑り落ちる現象を防止することができる。
【００７２】
一方、このように施工した状態で、雨が降ると、図７及び図８、図９に示すように、本体１１０が湾曲した形状であり、下方に傾いた状態であるので、本体１１０の表面１１１に落ちた雨水は、排水路１２５に集まり、排水路１２５に落ちた雨水と一緒に下方に排出される。
【００７３】
このとき、排水路１２５は、上広下狭に構成され、本体１１０の上部フランジ１１９から下部フランジ１１５に至るまで、最大限の排水距離を持たせるとともに、両側への表面積を最大限広く構成した。
【００７４】
したがって、出口１２６の圧力は、幅の広い上部よりも低いので、圧力差が発生し、上下幅の差がないときよりも、さらに速く雨水が流れるようになる。
【００７５】
すなわち、図７に示すように、出口１２６から排水される雨水の排水距離が長くなり、下部に位置した本体１１０の排水路１２５まで雨水を充分に送り出すようになる。
【００７６】
ここで、排水路１２５の上部の幅よりも、出口１２６の幅が狭いので、流路面積が下方に行くほど狭くなる。
【００７７】
これを、質量保存の法則により、同一の時間で、各流路面積を通過する流量速度は同一である。
【００７８】
すなわち、Ｓ１Ｖ１＝Ｓ２Ｖ２（Ｓ１、Ｓ２；排水炉の各地点の面積、Ｖ１、Ｖ２；排水路の各地点の面積）であるので、前記出口１２６から排水される雨水の速度が増加し、雨水の排水距離が長くなり、下部に位置した本体１１０の排水路１２５まで充分に送り出すようになる。
【００７９】
したがって、雨水が上部フランジ１１５に溜まり、逆方向に本体１１０の裏面１１３を伝って逆流する現象を減らすことができる。
【００８０】
一方、雨がやんだとき、図６に示すように、雨粒Ｓが下部フランジ１１５に溜まった状態で、外部から風が吹き付けると、本体１１０の裏面１１３を伝って逆流することになる。
【００８１】
しかし、本発明では、下部フランジ１１５の裏面１１７が上方に向かって上向き傾斜した状態であるので、逆流し難く、若し、前記裏面１１７が、本体１１０の裏面１１３と平行であれば、さらに容易に逆流するという問題が発生してしまう。
【００８２】
しかし、このような下部フランジ１１５を超えて逆流する雨水があれば、前記補助突起１３７により、再度遮断するようになる。
【００８３】
また、冬季、蒸気を含んだ空気が、外気により冷めた本体１１０の裏面１１３と接触すると、霜となり、これは、図５に示すように、案内突起１３３に沿って裏面１１３の中央に流れる。
【００８４】
ここで、裏面１１３に沿って排水面１３５に流入した後、前記釘孔１２７を経て下方に位置した本体１１０に落ちるように誘導される。
【００８５】
このとき、溝状の排水面１３５と下方に配置された本体１１０の上端フランジ１２２との間には、隙間が形成されるので、霜が通過し、下方に落下する。
【００８６】
このように落ちた霜は、図４に示すように、上部フランジ１１９に形成された排水溝１２１から排水路１２５に排出されるものである。
【００８７】
ここで、若し、案内突起１３３と排水面１３５がなければ、前記密着溝１２４の上端Ｋに霜ができた後、下方に落ち、釘１２８が速く腐食し、釘１２８と釘孔１２７との間に漏水し、下方に支持する横木Ｔを腐食させる現象が生じてしまう。
【００８８】
しかし、本発明は、このような問題点を解決することができる利点がある。
【００８９】
上述した本発明の説明は、例示のためのものであり、本発明の属する技術の分野における通常の知識を有する者は、本発明の技術的思想や必須の特徴を変更せず、他の具体的な形態に容易に変更可能であることが理解されるだろう。
【００９０】
そのため、上述した実施例は、全ての面において例示的なものであり、限定的ではないものと理解しなければならない。例えば、単一型として説明されている各構成要素は、分散されて実施されてもよく、同様に、分散されたものと説明されている構成要素も結合された形態で実施されてもよい。
【００９１】
本発明の範囲は、詳細な説明よりも後述する特許請求の範囲により定められ、請求の範囲の意味及び範囲、またその均等概念から導出される全ての変更または変形された形態が本発明の範囲に含まれるものと解釈されなければならない。
【符号の説明】
【００９２】
１００    瓦
１１０    本体
１１１    表面
１１３    裏面
１１５    下部フランジ
１１７    裏面
１１９    上部フランジ
１２１    排水溝
１２２    上端フランジ
１２３    側端フランジ
１２４    密着溝
１２５    排水路
１２６    出口
１２７    釘孔
１２８    釘
１２９    係止突起
１３１    付着面
１３３    案内突起
１３５    排水面
１３７    補助突起
【図１】
2016075140.tif 000003
【図２】
2016075140.tif 000004
【図３】
2016075140.tif 000005
【図４】
2016075140.tif 000006
【図５】
2016075140.tif 000007
【図６】
2016075140.tif 000008
【図７】
2016075140.tif 000009
【図８】
2016075140.tif 000010
【図９】
2016075140.tif 000011